【事件の表示】
　平成　９年特許願第　４７７６７号「蛍光表示管の電源回路」拒絶査定不服審判事件〔平成１０年　９月１１日出願公開、特開平１０−２４０１８５〕について、次のとおり審決する。
【結　論】
　本件審判の請求は、成り立たない。
【理　由】
第１　手続の経緯 
　本願は、平成９年３月３日の出願であって、平成１７年１２月２０日付け（発送日平成１８年１月４日）で拒絶査定がなされ、これに対し、平成１８年１月２６日に拒絶査定に対する審判請求がなされるとともに、同日付けで手続補正がなされたものである。 
　 
第２　平成１８年１月２６日付けの手続補正についての補正却下の決定 
１　補正却下の決定の結論 
　平成１８年１月２６日付けの手続補正（以下、「本件補正」という。）を却下する。 
　 
２　理由 
（１）補正の内容 
　本件補正は、補正前の特許請求の範囲である、 
「【請求項１】所定の電圧をパルス信号に応じてオン／オフし、このパルス制御された出力電圧を蛍光表示管のフィラメントに印加する電力制御回路と、
　基本周波数が３０〜５００Ｈｚの範囲でデューティー比が所定値の前記パルス信号を電力制御回路に出力する発振回路と、
　電力制御回路の出力と蛍光表示管のフィラメント間に直列に接続された、フィラメントに印加される電力を制限する電力制限回路とを有することを特徴とする蛍光表示管の電源回路。
【請求項２】請求項１記載の蛍光表示管の電源回路において、
　前記電力制限回路は、電力制御回路の出力と蛍光表示管のフィラメント間に直列に接続された抵抗であることを特徴とする蛍光表示管の電源回路。
【請求項３】請求項１記載の蛍光表示管の電源回路において、
　前記電力制御回路は、コレクタが電源に接続されエミッタが出力となる第１のトランジスタ、一端が第１のトランジスタのベースに接続され他端が前記電源に接続された抵抗、及びアノードが接地されカソードが第１のトランジスタのベースに接続された定電圧ダイオードを有する定電圧回路と、
　コレクタが第１のトランジスタのベースに接続されエミッタが接地されベースにパルス信号が入力される第２のトランジスタを有するスイッチング回路とからなるものであることを特徴とする蛍光表示管の電源回路。
【請求項４】所定の電流をパルス信号に応じてオン／オフし、このパルス制御された出力電流を蛍光表示管のフィラメントに印加する電力制御回路と、　基本周波数が３０〜５００Ｈｚの範囲でデューティー比が所定値の前記パルス信号を電力制御回路に出力する発振回路と、
　蛍光表示管のフィラメントと並列に接続された、フィラメントに印加される電力を制限する電力制限回路とを有することを特徴とする蛍光表示管の電源回路。
【請求項５】請求項４記載の蛍光表示管の電源回路において、
　前記電力制限回路は、蛍光表示管のフィラメントと並列に接続された抵抗であることを特徴とする蛍光表示管の電源回路。
【請求項６】請求項４記載の蛍光表示管の電源回路において、
　前記電力制御回路は、一端が電源に接続された第１の抵抗、エミッタが第１の抵抗の他端に接続されコレクタが出力となる第１のトランジスタ、アノードが第１のトランジスタのベースに接続されカソードが前記電源に接続された定電圧ダイオード、及び一端が第１のトランジスタのベースに接続され他端が接地された第２の抵抗を有する定電流回路と、
　エミッタが接地されベースにパルス信号が入力される第２のトランジスタ、一端が第２のトランジスタのコレクタに接続された第３の抵抗、及びベースが第３の抵抗の他端に接続されエミッタが前記電源に接続されコレクタが第１のトランジスタのベースに接続された第３のトランジスタを有するスイッチング回路とからなるものであることを特徴とする蛍光表示管の電源回路。
【請求項７】請求項１又は４記載の蛍光表示管の電源回路において、
　前記パルス信号のデューティー比は、電力制御回路の出力電圧のデューティー比が１２．５〜５０％の範囲となるように設定されることを特徴とする蛍光表示管の電源回路。」
を、補正後の特許請求の範囲である 
　
「【請求項１】所定の電圧をパルス信号に応じてオン／オフし、このパルス制御された出力電圧を蛍光表示管のフィラメントに印加する電力制御回路と、
　基本周波数が３０〜５００Ｈｚの範囲でデューティー比が所定値の前記パルス信号を電力制御回路に出力する発振回路と、
　電力制御回路の出力と蛍光表示管のフィラメント間に直列に接続された、フィラメントに印加される電力を制限する電力制限回路とを有
し、
前記パルス信号のデューティー比は、前記電力制御回路の出力電圧のデューティー比が１２．５〜５０％の範囲のいずれかの値となるように設定され、
前記電力制御回路は、コレクタが電源に接続されエミッタが出力となる第１のトランジスタ、一端が前記第１のトランジスタのベースに接続され他端が前記電源に接続された抵抗、及びアノードが接地されカソードが前記第１のトランジスタのベースに接続された定電圧ダイオードを有する定電圧回路と、コレクタが前記第１のトランジスタのベースに接続されエミッタが接地されベースに前記パルス信号が入力される第２のトランジスタを有するスイッチング回路とからなるものである
【請求項２】請求項１記載の蛍光表示管の電源回路において、
　前記電力制限回路は、電力制御回路の出力と蛍光表示管のフィラメント間に直列に接続された抵抗であることを特徴とする蛍光表示管の電源回路。
【請求項３】
所定の電流をパルス信号に応じてオン／オフし、このパルス制御された出力電流を蛍光表示管のフィラメントに印加する電力制御回路と、　基本周波数が３０〜５００Ｈｚの範囲でデューティー比が所定値の前記パルス信号を電力制御回路に出力する発振回路と、　蛍光表示管のフィラメントと並列に接続された、フィラメントに印加される電力を制限する電力制限回路とを有し、　前記パルス信号のデューティー比は、前記電力制御回路の出力電圧のデューティー比が１２．５〜５０％の範囲のいずれかの値となるように設定され、　前記電力制御回路は、一端が電源に接続された第１の抵抗、エミッタが前記第１の抵抗の他端に接続されコレクタが出力となる第１のトランジスタ、アノードが前記第１のトランジスタのベースに接続されカソードが前記電源に接続された定電圧ダイオード、及び一端が前記第１のトランジスタのベースに接続され他端が接地された第２の抵抗を有する定電流回路と、エミッタが接地されベースに前記パルス信号が入力される第２のトランジスタ、一端が前記第２のトランジスタのコレクタに接続された第３の抵抗、及びベースが前記第３の抵抗の他端に接続されエミッタが前記電源に接続されコレクタが前記第１のトランジスタのベースに接続された第３のトランジスタを有するスイッチング回路とからなるものである
【請求項４】
請求項３記載の蛍光表示管の電源回路において、　前記電力制限回路は、蛍光表示管のフィラメントと並列に接続された抵抗である
。
と補正する補正事項を含むものである。（なお、下線は、補正箇所を示すために請求人が付したものである。） 
　 
（２）本件補正の適否について 
　本件補正は、補正前の請求項１並びに請求項４をそれぞれ引用する形式で記載された請求項３並びに請求項６に記載した、発明を特定するために必要な事項である「デューティー比が所定値の前記パルス信号」について、「前記パルス信号のデューティー比は、前記電力制御回路の出力電圧のデューティー比が１２．５〜５０％の範囲のいずれかの値となるように設定され、」と限定するものであるから平成１８年改正前特許法第１７条の２第４項第２号に規定する特許請求の範囲の減縮を目的とするものである。 
　そこで、本件補正後における特許請求の範囲の請求項１に記載されている事項により特定される発明（以下、「本件補正発明１」という。）が特許出願の際独立して特許を受けることができるものであるか（平成１８年改正前特許法第１７条の２第５項において準用する同法第１２６条第５項に規定する要件を満たすか）否かについて以下に検討する。 
　 
（３）引用刊行物 
ア　本願出願前に頒布された刊行物である特開平４−１４５４８８号公報（以下、「引用刊行物１」という。）には、図面とともに以下の技術事項が記載されている。 
　 
（ア−ａ）「２．特許請求の範囲　次の構成を備えたことを特徴とする蛍光表示管のフィラメント駆動回路。（イ）上記フィラメントへの給電を制御するスイッチング素子。（ロ）上記スイッチング素子の制御端子に周期的にパルスを出力するパルス発生回路。このパルスに応答してスイッチング素子がオンすると、上記フィラメントに電源からの電流が供給される。（ハ）上記スイッチング素子の制御端子とパルス発生回路との間に配置されたハイパスフィルタ。」（特許請求の範囲） 
　 
（ア−ｂ）「［産業上の利用分野］本発明は、蛍光表示管のフィラメントを駆動する回路に関する。」（第１頁左下欄第１６−１８行目） 
　 
（ア−ｃ）「発明者はまず、フィラメントと直列にスイッチング素子を接続し、このスイッチング素子をパルス発生回路からのパルスにより動作させて、フィラメント給電を間欠的に行うことを考えた。しかし、このような構成では、パルス発生回路の故障により、その出力がスイッチング素子をオンにするレベルのまま固定されてしまった場合、フィラメントの過熱およびそれに伴う損焼のおそれがあった。」（第２頁左上欄第１９行目−同頁右上欄第７行目） 
　 
（ア−ｄ）「［作用］パルス発生回路の故障により、その出力がスイッチング素子をオンにするレベルのまま固定されてしまっても、上記パルス発生回路とスイッチング素子の制御端子との間にはハイパスフィルタが配置されているので、スイッチング素子をオフのまま維持することができる。この結果、フィラメントの過熱およびそれに伴う損焼を防止することができる。」（第２頁右上欄２０行目−同頁左下欄第８行目） 
　 
（ア−ｅ）「上記フィラメント駆動回路３は、第１図に示されるように、バッテリＶｂからグランドに向かって順に接続されたトランジスタ１３（スイッチング素子）と抵抗１１とツェナーダイオード１２を備えている。抵抗１１とツェナーダイオード１２により定電圧回路１０が構成されている。トランジスタ１３はＰＮＰ型のものであり、エミッタがバッテリＶｂに接続され、コレクタが抵抗１１に接続されている。ツェナーダイオード１２には、上記フィラメントＦが並列接続されている。
　フィラメント駆動回路３はさらにパルス発生回路１５を備えている。このパルス発生回路１５の出力段とバッテリＶｂとの間には、コンデンサ２１、２つの抵抗２２，２３が直列をなして接続されている。これら抵抗２２，２３間の接続点は上記トランジスタ１３のベースに接続されている。コンデンサ２１と抵抗２２，２３はハイパスフィルタ２０を構成している。」（第２頁右下欄第３−２０行目） 
　 
（ア−ｆ）「トランジスタ１３のベースとバッテリＶｂとの間には、カソードをバッテリＶｂに向けたダイオード２４が接続されている。このダイオード２４は、上記パルス出力回路１５からの出力レベルがローレベルからハイレベルに切り替わった時に、トランジスタ１３のベース・エミッタ間に付与されようとする逆バイアスを逃がすためのものである。」（第３頁左上欄第１−８行目） 
　 
（ア−ｇ）「上述構成において、パルス発生回路１５から例えば２０ＫＨｚでローレベルのパルスが出力されるたびに、バッテリＶｂからバイパスフィルタ２０を経、パルス発生回路１５に向かって電流が流れ、抵抗２３での電圧降下によりトランジスタ１３がバイアスされてオンする。トランジスタ１３がオンすると、バッテリＶｂからの電流が抵抗１１を流れ、さらにフィラメントＦとツェナーダイオード１２に流れる。この際、バッテリＶｂの電圧が変動しても１１を流れる電流およびこれに伴う電圧降下が変動するだけで、ツェナーダイオード１２の両端間電圧、換言すればフィラメントＦへの印加電圧は一定に保たれる。」（第３頁左上欄第９−同頁右上欄１行目） 
　 
（ア−ｈ）「したがって、フィラメントＦは、上記ツェナーダイオード１２の設定電圧とパルスのデユーティ比に応じて一定の発熱量を維持できる。」　　　　　　　　　　　　　　　　　　　（第３頁右上欄第１−４行目） 
　 
（ア−ｉ）「第４図に示す実施例は、パルス発生回路１５，ハイパスフイルタ２０，ダイオード２４を備えている点は第１図，第３図と同じであるが次の点で異なる。第４図の実施例は、２段のトランジスタ１３Ａ，１３Ｂを備えている。前段トランジスタ１３Ａはパルス発生回路１５からの出力に応答してオン、オフする。前段トランジスタ１３Ａのコレクタは後段トランジスタ１３Ｂのベースに接続されている。後段トランジスタ１３ＢはフィラメントＦの給電制御として用いられる。後段トランジスタ１３Ｂのエミッタ側にフィラメントＦが接続され、後段トランジスタ１３Ｂのコレクタが抵抗１００を介してバッテリＶｂに接続されている。また、抵抗１１１とツェナーダイオード１１２からなる定電圧回路１１０がバッテリＶｂとグランドとの間に介在され、抵抗１１１とツェナーダイオード１１２の接続点がトランジスタ１３Ｂのベースに接続されている。」（第４頁左上欄第４行目−同頁右上欄第１行目） 
　 
（ア−ｊ）「さらに、前段トランジスタ１３Ａのコレクタと後段トランジスタ１３Ｂのベースとの間には高周波カット用のフィルタ１２０が設けられている。このフィルタ１２０は、前段トランジスタ１３Ａのコレクタと後段トランジスタ１３Ｂのベースとの間に接続された抵抗１２１と、一端が抵抗１２１と後段トランジスタ１３Ｂのベース間に接続され他端が接地されたコンデンサ１２２とを有している。」（第４頁右上欄第１−９行目） 
　
（ア−ｋ）「上記実施例の作用を第５図のタイムチャートを参照しながら説明する。パルス発生回路１５からローレベルのパルスが出力された時に、これに応答して前段トランジスタ１３Ａがオフとなり、後段トランジスタ１３Ｂのベースに定電圧回路１１０のツェナーダイオード１１２の定電圧が印加される。その結果、後段トランジスタ１３ＢがオンしてフィラメントＦにバッテリＶｂからの電力が供給される。この際、フィラメントＦの印加電圧は、ツェナーダイオード１１２の定電圧から、後段トランジスタ１３Ｂのベース・エミッタ間電圧を差し引いた電圧となり、ほぼ一定に維持できる。したがって、フィラメントＦの発熱量も一定である。」（第４頁右上欄第１０行目−同頁左下欄第３行目）
　
（ア−ｍ）「フィラメントＦへ印加されるパルス電圧は、フィルタ１２０により高調波成分がカットされるため、破線で示すような完全な矩形波にならず、実線で示すようになだらかな波形になる。これにより、ラジオ等へのノイズ発生源となるのを防ぐことができる。」　（第４頁左下欄第７−１２行目） 
　 
（ア−ｎ）「抵抗１００はトランジスタ１３Ｂのコレクタ・エミッタ間で負担すべき電圧降下を一部分担する役割を担うが、原理的にはなくてもよい。」（第４頁左下欄第１３−１５行目） 
　 
　上記摘記事項（ア−ａ）ないし（ア−ｎ）より、引用刊行物１には、次の発明（以下、「刊行物１発明」という。）が記載されていると認める。
「ツェナーダイオード１１２の定電圧から、後段トランジスタ１３Ｂのベース・エミッタ間電圧を差し引いた電圧をパルスに応じてオン／オフして蛍光表示管のフィラメントＦの給電制御として用いる回路と、
　例えば２０ＫＨｚでローレベルの前記パルスを前段トランジスタ１３Ａに出力するパルス発生回路１５と、
　バッテリＶｂと後段トランジスタ１３Ｂのコレクタ間に直列に接続された抵抗１００とを有し、
　前記給電制御として用いる回路は、コレクタが抵抗１００を介してバッテリＶｂに接続されエミッタがフィラメントＦに接続された後段トランジスタ１３Ｂと、
　一端が前記後段トランジスタ１３Ｂのベースに高周波カット用のフィルタ１２０を介して接続され、他端が前記バッテリＶｂに接続された抵抗１１１、及び、アノードが接地され、カソードが前記後段トランジスタ１３Ｂのベースに高周波カット用のフィルタ１２０を介して前記後段トランジスタ１３Ｂのベースに接続されたツェナーダイオード１１２を有する定電圧回路１１０と、
　コレクタが前記後段トランジスタ１３Ｂのベースに高周波カット用のフィルタ１２０を介して接続されエミッタが接地されベースに前記パルスがハイパスフィルタ２０を介して入力される前段トランジスタ１３Ａとからなるものである蛍光表示管のフィラメント駆動回路。」
　
イ　原査定の拒絶の理由に引用された、本願出願前に頒布された刊行物である特開平４−１４５４８９号公報（以下、「引用刊行物２」という。）には、図面とともに以下の技術事項が記載されている。 
　
（イ−ａ）「２．特許請求の範囲　次の構成を備えた車両用蛍光表示管のフィラメント駆動回路。（イ）上記フィラメントへの給電を制御するスイッチング素子。（ロ）上記バッテリの電圧の２乗にほぼ逆比例するデューテイ比の駆動パルスを周期的にスイッチング素子に出力する駆動パルス出力回路。この駆動パルスに応答してスイッチング素子がオンした時、上記フィラメントにバッテリからの電力が供給される。」（特許請求の範囲）
　 
（イ−ｂ）「［産業上の利用分野］本発明は、車両用蛍光表示管のフィラメントを駆動する回路に関する。」（第１頁左下欄下から５行目−下から３行目）
 　
（イ−ｃ）「［作用］駆動パルス出力回路から周期的に発生する駆動パルスに応答してスイッチング素子がオンすることにより、フィラメントに電力が供給される。
　この回路構成におけるフィラメントの電力消費すなわち発熱量について考察すると、この電力消費はフィラメントへの印加電圧の２乗に比例し、駆動パルスのデューティ比に比例する。また、フィラメントへの印加電圧はバッテリ電圧に比例する。したがって、駆動パルスのデューティ比をバッテリ電圧の２乗にほぼ逆比例させることにより、フィラメントの電力消費をほぼ一定にすることができ、ひいては蛍光表示管の輝度をほぼ一定に維持できる。
　上記のように駆動パルスのデューティ比で、フィラメントの発熱量をほぼ一定に制御するため、従来用いられていたフィラメント印加電圧を一定にするためのツェナーダイオードが不要となり、ツェナーダイオードでの発熱による周辺素子への熱ストレスの付与を防止できる。」（第２頁左下欄第１４行目−同頁右下欄第１３行目）
　
（イ−ｄ）「［実施例］以下、本発明の一実施例を第１図〜第３図に基づいて説明する。第３図には車両に用いられる蛍光表示管１が示されている。蛍光表示管１は、チューブ２内に収容されたフィラメントＦとグリッドＧとセグメントアノ−ドＡとを備えている。フィラメントＦは、フィラメント駆動回路３により駆動され、・・・上記フィラメント駆動回路３は、第１図に示されるように、バッテリＶｂからグランドＧＤに向かって順に直列接続されたトランジスタ１０（スイッチング素子）と抵抗１１を備えている。トランジスタ１０はＰＮＰ型のものであり、エミッタがバッテリＶｂに接続され、コレクタが抵抗１１に接続されている。上記フィラメントＦはトランジスタ１０，抵抗１１と直列をなして接続され、これらよりグランドＧＤ側に配されている。
　フィラメント駆動回路３はさらに駆動パルス出力回路２０を備えている。この駆動パルス出力回路２０は、一定のデユーティ比の原パルスＰＬを周期的に出力する原パルス発生回路２１と、充放電回路２２と、コンパレータ２３と、スレッショルド電圧発生回路２４とを有している。」（第２頁右下欄第１４行目−第３頁右上欄第２行目）
　
（イ−ｅ）「上述構成の作用を、第２図のタイムチャートを参照しながら説明する。原パルス発生回路２１から一定周期Ｔでハイレベルの原パルスＰＬが出力される。この原パルスＰＬの高さＶｃｃおよびデューティ比Ｄｏは一定である。
充放電回路２２のコンデンサ２２ｂは、上記原パルスＰＬに対応して充放電を行う。・・・原パルスＰＬの時間幅に対応する期間では、コンデンサ２２ｂの充電電圧Ｖｅは、原パルスＰＬの電圧Ｖｃｃに維持される。」（第３頁左下欄第８行目−同頁右下欄第２行目）
 　
（イ−ｆ）「具体的に述べると、Ｄｏ＝０．２５，ｎ＝１，ｋ＝０．２８，Ｖｃｃ＝５Ｖ、Ａ＝０．２１，Ｒｆ＝１２．５Ω、Ｒ１１＝４７Ωとした場合、バッテリＶｂの変動に応じて、フィラメント印加電圧Ｖｆ、デューティ比Ｄｆ、フィラメント印加電圧の実効値Ｖｆｍ、抵抗１１での電力消費Ｐｗ’（単位Ｗ）は下記表の通り変化する。
　　　　　　　　　　　　　表
Ｖｂ　 17.9　　１６　 １４　　１２　　１０　　９　　　８
Ｖｆ　3.75　　3.36　　2.94　　2.52　　2.10　　1.89　　1.68
Ｄｆ　　０　　0.36　　0.49　　0.65　　0.83　　0.94　　１
Ｖｆｍ　０　　2.02　　2.07　　2.02　　1.91　　1.83　　1.68
Ｐｗ’　０　　1.22　　1.28　　1.24　　1.10　　1.01　　0.85
　
　上記表から明らかなように、バッテリ電圧Ｖｂが１２Ｖ〜１６Ｖの範囲で、デューティ比Ｄｆはバッテリ電圧Ｖｂの２乗にほぼ逆比例しており、フィラメント印加電圧の実効値Ｖｆｍはほぼ一定である。この印加電圧の実効値Ｖｆｍがほぼ一定であることは、フィラメントＦの消費電力がほぼ一定であることを意味する。なお、フィラメントＦの定格電圧を２Ｖに設定した場合、バッテリ電圧Ｖｂが９〜１６Ｖの範囲で変動しても、印加電圧の実効値Ｖｆｍは定格電圧２Ｖの±１０％の範囲に入る。したがって、寛容な基準でみれば、バッテリ電圧Ｖｂが９〜１６Ｖの範囲で、デューティ比Ｄｆはバッテリ電圧Ｖｂの２乗にほぼ逆比例し、フィラメントＦの消費電力Ｐｗもほぼ一定に維持される。
　また、上記表における抵抗１１の電力消費ＰＷ′は、厳しい基準でみればバッテリ電圧Ｖｂが１２〜１６Ｖの範囲で、寛容な基準でみれば９〜１６Ｖの範囲でほぼ一定であり、しかも小さい。」（第５頁右上欄第２行目−同頁左下欄第１４行目）
　
（イ−ｇ）「上記抵抗１１の電力消費すなわち発熱量について詳細に考察すると、下記の（イ），（ロ）の理由により、第８図に示す従来の直流型フィラメント駆動回路に比べて小さくすることができる。イ）抵抗１１には常時電流が流れず、駆動パルスに応じて間欠的に電流が流れる。したがって、電流が流れる時間を短くすることができる。口）フィラメントＦへの電流供給が駆動パルスに応して間欠的に行われ、その供給時間が短くなるから、フィラメントＦの適正な発熱量を維持するためには、フィラメントＦの印加電圧を高くする必要がある。この結果、抵抗１１で要求される電圧降下は小さくて済む。」（第５頁左下欄第１５行目−同頁右下欄第７行目）
　
（イ−ｈ）「第４図は本発明の他の実施例を示す。この実施例において第１図に対応する構成部材には同符号を付してその詳細な説明を省略する。第４図の駆動パルス出力回路２０Ａでは、コストを安くするために、コンパレータ２３の代わりにＮＰＮトランジスタ２５が用いられている。充放電回路２２の充電電圧Ｖｅはこのトランジスタ２５のベース電圧として提供される。スレッショルド電圧発生回路２４のスレッショルド電圧Ｖｓは、トランジスタ２５のエミッタ電圧として提供される。トランジスタ２５のコレクタが、駆動パルスＤＬのための出力段となる。トランジスタ２５では、Ｖｅ≧Ｖｓ＋ＶＢＥの時にオンし、コレクタをローレベルにして駆動パルスＤＰを出力する。但し、ＶＢＥはトランジスタ２５がオンする時のベース・エミッタ間電圧の閾値である。重要な作用については第１図の実施例と同じであるので省略する。」（第５頁右下欄第８行目−第６頁左上欄第４行目）
　
ウ　原査定の拒絶の理由に引用された、本願出願前に頒布された刊行物である実願平１−２６７７３号（実開平２−１１７５８９号）のマイクロフィルム（以下、「引用刊行物３」という。）には、図面とともに以下の技術事項が記載されている。
（ウ−ａ）「＜産業上の利用分野＞本考案は蛍光表示管のフィラメント駆動回路に係わり、特にトランスを用いずにフィラメントに交流を印加できるフィラメント駆動回路に関する。」（第１頁下から３行目−第２頁１行目）
　
（ウ−ｂ）「＜作用＞発振回路出力により、・・・交互にオン／オフさせ、フィラメントに流れる電流の向きを変えてフィラメントに交流を印加する。」（第６頁第１２−１７行目）
　
（ウ−ｃ）「＜実施例＞第１図は本考案に係わる蛍光表示管のフィラメント駆動回路の回路図である。」（第６頁第１８−２０行目）
　
（ウ−ｄ）「蛍光表示管ＶＦＤのフィラメントＦＬは第１、第２のトランジスタＱ１，Ｑ２の接続点Ａと第３、第４のトランジスタＱ３，Ｑ４の接続点Ｂ間に配設され、マルチバイブレータＭＢの発振周期で電流方向が変化するようになっている。さて、マルチバイブレータＭＢは所定周波数（たとえば１００ＨＺ前後）で発振しており、その出力端子Ｔ１，Ｔ２からパルス信号ＰＳ１，ＰＳ２を出力する。」（第８頁第１０−１８行目）
　
エ　原査定の拒絶の理由に引用された、本願出願前に頒布された刊行物である特開昭５２−８５８５２号公報（以下、「引用刊行物４」という。）には、図面とともに以下の技術事項が記載されている。
（エ−ａ）「特許請求の範囲　１．熱陰極蛍光多桁表示体により時刻表示を行う電子携帯時計において、相補型バイポーラトランジスタインバータにより熱陰極フイラメントを交番電圧駆動することを特徴とする電子携帯時計。
２．上記交番駆動方式において、２０Ｈｚよりも高い交番周波数による駆動を行うことを特徴とする電子携帯時計。」（特許請求の範囲）
　
（エ−ｂ）「さて、このように表示のための電力効率の優れた熱陰極蛍光表示体において、全消費電力の大部分を占めるフイラメントの駆動には、電子携帯時計にもつとも適した駆動方式によるものが必要である。・・・点灯スイッチが操作された時刻表示状態においては・・・フイラメント駆動回路２７に分周期の６４Ｈｚ信号を供給する。インバータ３５及び３６が６４Ｈｚの互に逆相な信号で駆動されるとき、熱陰極蛍光表示体３７のフイラメントにはフイラメント電流が流れ、表示可能となる。」（第２頁右上欄第８行目−同頁右下欄第２行目）
　
（４）　対比 
　本件補正発明１と刊行物１発明を対比する。 
ア　刊行物１発明の「ツェナーダイオード１１２の定電圧から、後段トランジスタ１３Ｂのベース・エミッタ間電圧を差し引いた電圧」、「蛍光表示管」、「フィラメントＦ」、「給電制御として用いる回路」、「パルス発生回路１５」、「蛍光表示管のフィラメント駆動回路」は、
本件補正発明１の「所定の電圧」、「蛍光表示管」、「フィラメント」、「電力制御回路」、「発振回路」、「蛍光表示管の電源回路」にそれぞれ相当している。
　
イ　刊行物１発明の「後段トランジスタ１３Ｂ」、「前段トランジスタ１３Ａ」、「ツェナーダイオード１１２」、「バッテリＶｂ」は、本件補正発明１の「第１のトランジスタ」、「第２のトランジスタ」、「定電圧ダイオード」、「電源」にそれぞれ相当している。
　
ウ　刊行物１発明の後段トランジスタ１３Ｂは、オンのときにフィラメントＦにバッテリＶｂからの電力が供給されるようにそのコレクタがバッテリＶｂに接続されているものであるから（（４）の摘記事項（ア−ｉ）及び（ア−ｋ）参照。）、刊行物１発明の「コレクタが抵抗１００を介してバッテリＶｂに接続されエミッタがフィラメントＦに接続された後段トランジスタ１３Ｂ」と、本件補正発明１の「コレクタが電源に接続されエミッタが出力となる第１のトランジスタ」とは、「フィラメントに電源からの電力が供給されるようにコレクタが接続されエミッタが出力となる第１トランジスタ」である点で共通している。
　
エ　刊行物１発明の抵抗１１１の一端とツェナーダイオード１１２のカソードは、他端がバッテリＶｂに接続された抵抗１１１とアノードが接地されたツェナーダイオード１１２とで構成される定電圧回路１１０の出力を後段トランジスタ１３Ｂのベースに入力するようになされているものであるから（（４）の摘記事項（ア−ｉ）参照。）、刊行物１発明の「一端が前記後段トランジスタ１３Ｂのベースに高周波カット用のフィルタ１２０を介して接続され、他端が前記バッテリＶｂに接続された抵抗１１１、及びアノードが接地され、カソードが高周波カット用のフィルタ１２０を介して前記後段トランジスタ１３Ｂのベースに接続されたツェナーダイオード１１２を有する定電圧回路１１０」と、本件補正発明１の「一端が前記第１のトランジスタのベースに接続され他端が前記電源に接続された抵抗、及びアノードが接地されカソードが前記第１のトランジスタのベースに接続された定電圧ダイオードを有する定電圧回路」とは、
「一端が第１のトランジスタのベースに定電圧出力が入力されるように接続され他端が電源に接続された抵抗、及びアノードが接地され、カソードが前記第１のトランジスタのベースに定電圧出力が入力されるように接続された定電圧ダイオードを有する定電圧回路」
である点で共通している。
　
オ　刊行物１発明の前段トランジスタ１３Ａのコレクタは、後段トランジスタ１３Ｂのベースに入力する定電圧回路１１０の出力をオンオフするために前記後段トランジスタ１３Ｂのベースに高周波カット用のフィルタ１２０を介して接続されているものであるから（（４）の摘記事項（ア−ｉ）及び（ア−ｋ）参照。）、刊行物１発明の「コレクタが前記後段トランジスタ１３Ｂのベースに高周波カット用のフィルタ１２０を介して接続されエミッタが接地されベースに前記パルスがハイパスフィルタ２０を介して入力される前段トランジスタ１３Ａ」と、本件補正発明１の「コレクタが前記第１のトランジスタのベースに接続されエミッタが接地されベースに前記パルス信号が入力される第２のトランジスタを有するスイッチング回路」とは、
「コレクタが定電圧回路１１０の出力をオンオフして後段トランジスタ１３Ｂのベースに入力されるように接続され、エミッタが接地され、ベースにパルス信号が入力されるように構成された第２のトランジスタを有するスイッチング回路」
である点で共通している。
　
　すると、本件補正発明１と刊行物１発明とは、次の点で一致し、 
［一致点］ 
「所定の電圧をパルス信号に応じてオン／オフし、このパルス制御された出力電圧を蛍光表示管のフィラメントに印加する電力制御回路と、
　前記パルス信号を電力制御回路に出力する発振回路と、
　前記電力制御回路は、フィラメントに電源からの電力が供給されるようにコレクタが接続されエミッタが出力となる第１トランジスタ、
　一端が第１のトランジスタのベースに定電圧出力が入力されるように接続され他端が電源に接続された抵抗、及び、アノードが接地され、カソードが前記第１のトランジスタのベースに定電圧出力が入力されるように接続された定電圧ダイオードを有する定電圧回路と、
　コレクタが定電圧回路１１０の出力をオンオフして後段トランジスタ１３Ｂのベースに入力されるように接続され、エミッタが接地され、ベースにパルス信号が入力されるように構成された第２のトランジスタを有するスイッチング回路
　とからなるものであることを特徴とする蛍光表示管の電源回路。」 
　 
　次の相違点１ないし３で相違する。 
［相違点１］ 
　本件補正発明１には特に規定されていない構成である、「抵抗１００」、「ハイパスフィルタ２０」、「ダイオード２４」、「高周波カット用のフィルタ１２０」を、刊行物１発明は具備している点。
　
［相違点２］
「パルス信号」が、本件補正発明１は「基本周波数が３０〜５００Ｈｚの範囲でデューティ比が所定値」であって、「前記パルス信号のデューティー比は、前記電力制御回路の出力電圧のデューティー比が１２．５〜５０％の範囲のいずれかの値となるように設定され」るものであるのに対して、刊行物１発明は、基本周波数が「例えば２０ＫＨｚ」であって、デューティ比については特定されていない点。
　 
［相違点３］
　本件補正発明１には、「フィラメントに印加される電力を制限する電力制限回路」が設けられているのに対して、刊行物１発明には、この構成が設けられていない点。　
　
（５）判断 
　上記相違点について検討する。 
ア　相違点１について 
　（ａ）上記（４）の摘記事項（ア−ｎ）によれば、「抵抗１００」は「原理的にはなくてもよい」ものとされているから、当業者が適宜削除できたものである。
　（ｂ）上記（４）の摘記事項（ア−ｃ）ないし（ア−ｅ）によれば、「ハイパスフィルタ２０」は、パルス発生回路の故障によるフィラメントの過熱・損焼を防止する目的で設けられているものであるから、当該目的の有無に応じて削除することは当業者が容易に想到できたことである。
　（ｃ）上記（４）の摘記事項（ア−ｆ）によれば、「ダイオード２４」は、パルス出力回路１５の出力レベルがローレベルからハイレベルに切り替わった時に、トランジスタ１３のベース・エミッタ間に付与されようとする逆バイアスを逃がすために設けられているものであって、このような瞬時の過渡期について対策するかどうかは当業者が適宜選択することであるから、「ダイオード２４」を削除することも当業者が容易に想到できたことである。
　（ｄ）そうすると、刊行物１発明の「抵抗１００」、「ハイパスフィルタ２０」、「ダイオード２４」及び「高周波カット用のフィルタ１２０」を削除することは当業者が容易に想到できたことであるから、刊行物１発明の上記相違点１に係る構成を本件補正発明１の上記相違点１に係る如く構成することは当業者が容易に想到できたことである。
　
イ　相違点２について
　蛍光表示管のフィラメントを交流駆動する際に用いられる周波数は回路の応答特性等に応じて任意に設計できるものであって、「基本周波数が３０〜５００Ｈｚの範囲」内の周波数であるところの、「例えば１００Ｈｚ」並びに「６４Ｈｚ」を用いることが、上記刊行物３並びに刊行物４に記載されている。そして、上記基本周波数に対する蛍光表示管内部の部材の振動によるうなり音の発生の可能性は、当該蛍光管内部の部材の材質や構造等で変化するものであることが明らかであるから、上記基本周波数についての「３０〜５００Hz」との数値範囲の限定に格段の臨界的意義があるともいえない。
よって、刊行物１発明の「パルス信号」を、「基本周波数が３０〜５００Ｈｚの範囲」とすることは刊行物３並びに刊行物４に記載された発明に基づいて当業者が容易に想到できたことである。
　また、上記（４）の摘記事項（ア−ｈ）によれば、刊行物１発明においてパルス信号のデユーティ比は「一定の発熱量を維持できる」ように所定値とするものであることが明らかである。そして、上記刊行物２には「バッテリ電圧Ｖｂ」の「１２Ｖ〜１６Ｖ」の範囲の変動に応じて、「デューティ比Ｄｆ」を「０．６５〜０．３６」と制御することによってフィラメントＦの消費電力Ｐｗ’をほぼ一定に保つことが記載されているように、デューティ比を５０％の前後で選択することは当業者が普通におこなうことであって、単に消費電力を少なくするという目的のためにデューティ比が５０％よりも小さい範囲を採用することも当業者が適宜なし得ることに過ぎない。また、「１２．５％〜５０％の範囲」との数値限定に格段の臨界的意義があるともいえない。
　よって、刊行物１発明の「パルス信号」を、「パルス信号のデューティ比は、前記電力制御回路の出力電圧のデューティ比が１２．５％〜５０％の範囲のいずれかの範囲の値となるように設定され」るものとすることは当業者が刊行物２に記載された発明に基づいて容易に想到できたことである。
　
ウ　相違点３について
　蛍光表示管のフィラメントと該蛍光表示管に電力を供給する出力との間に直列に抵抗を接続してフィラメントに対して供給される電流を設定することは周知技術（以下、「周知技術Ａ」という。例えば、特開平４−２１４５８８号公報（段落【００２０】、図４）、特開平７−２３９６７２号公報（段落【０００８】−【０００９】、図１）参照。）であるから、刊行物１発明において、電力制御回路の出力と蛍光表示管のフィラメント間に直列に接続された抵抗を設けることは当業者が上記周知技術Ａに基づいて容易に想到できることであって、当該フィラメントに直列に接続された抵抗が「フィラメントに印加される電力を制限する電力制限回路」としての機能を有することは当業者にとって自明なことである。
　 
カ　本件補正発明１が奏する作用効果について 
　本件補正発明１が奏する作用効果についても、刊行物１発明、刊行物２ないし刊行物４に記載された発明及び周知技術Ａに基づいて当業者が予測可能な範囲のものである。 
　したがって、本件補正発明１は、刊行物１発明、刊行物２ないし刊行物４に記載された発明及び周知技術Ａに基づいて当業者が容易に発明をすることができたものであるから、特許法２９条２項の規定により特許出願の際独立して特許を受けることができないものである。 
　 
（６）むすび 
　以上のとおり、本件補正は、平成１８年改正前特許法１７条の２第５項において準用する同法１２６条第５項の規定に違反するものであり、同法第１５９条第１項の規定において読み替えて準用する同法第５３条第１項の規定により却下すべきものである。 
　 
第３　本願発明について 
　平成１８年１月２６日付けの手続補正は、上記のとおり却下されたので、本願の請求項１ないし７に係る発明は、平成１７年１１月１日付けの手続補正書により補正された明細書及び図面の記載からみて、その特許請求の範囲１ないし７に記載された事項により特定されるとおりのものと認められるところ、その請求項１係る発明（以下、「本願第１発明」という。）は、上記「第２」の「２」の「（１）」の本件補正前の特許請求の範囲の請求項１に記載されたとおりのものである。 
　
第４　刊行物ＡないしＣに記載された発明 
　原査定の拒絶の理由に「刊行物Ａ」ないし「刊行物Ｃ」として引用された上記刊行物２ないし４を以下において、「刊行物Ａ」ないし「刊行物Ｃ」という。
Ａ　刊行物Ａ（特開平４−１４５４８９号公報）
　原査定の拒絶の理由に引用された刊行物Ａには、図面とともに上記「第２　２　（４）　イ」の摘記事項（イ−ａ）ないし（イ−ｈ）の記載がある。
そして、　上記摘記事項（イ−ａ）ないし（イ−ｈ）より、刊行物Ａには、次の発明（以下、「刊行物Ａ発明」という。）が記載されていると認める。 
「バッテリ電圧Ｖｂを原パルスＰＬに応じてオン／オフして、車両用蛍光表示管のフィラメントＦへ給電する回路と、
　一定周期Ｔでデューティー比Ｄｏは一定である前記原パルスＰＬを前記給電する回路に出力する原パルス発生回路２１と、
　前記給電する回路の出力と蛍光表示管のフィラメントＦ間に直列に接続される抵抗１１であって、バッテリ電圧Ｖｂをその抵抗値Ｒ１１とフィラメントＦの抵抗値Ｒｆで分圧した電圧Ｖｆを前記フィラメントＦに印加する抵抗１１を有する車両用蛍光表示管のフィラメント駆動回路。」
　
Ｂ　刊行物Ｂ（実願平１−２６７７３号（実開平２−１１７５８９号）のマイクロフィルム）
　原査定の拒絶の理由に引用された刊行物Ｂには、図面とともに上記「第２　２　（４）　ウ」の摘記事項（ウ−ａ）ないし（ウ−ｄ）の記載がある。
　
Ｃ　刊行物Ｃ（特開昭５２−８５８５２号公報）
　原査定の拒絶の理由に引用された刊行物Ｂには、図面とともに上記「第２　２　（４）　エ」の摘記事項（エ−ａ）ないし（エ−ｂ）の記載がある。
　
第５　対比 
　本願第１発明と刊行物Ａ発明とを対比する。
ア　刊行物Ａ発明の、「バッテリ電圧Ｖｂ」、「原パルスＰＬ」、「車両用蛍光表示管のフィラメントＦ」、「給電する回路」、「車両用蛍光表示管のフィラメント駆動回路」は、本願第１発明の、「所定の電圧」、「パルス信号」、「蛍光表示管のフィラメント」、「電力制御回路」、「蛍光表示管の電源回路」にそれぞれ相当している。
イ　刊行物Ａ発明の、「デューティー比Ｄｏは一定」、「原パルス発生回路２１」は、本願第１発明の、「デューティ比が所定値」、「発振回路」にそれぞれ相当している。
　
　すると、本願第１発明と刊行物Ａ発明とは、次の点で一致し、 
［一致点］ 
「所定の電圧をパルス信号に応じてオン／オフし、このパルス制御された出力電圧を蛍光表示管のフィラメントに印加する電力制御回路と、デューティー比が所定値の前記パルス信号を電力制御回路に出力する発振回路と、を有する蛍光表示管の電源回路。」
　
次の相違点Ａ，Ｂで相違している。
［相違点Ａ］
　「パルス信号」が、本願第１発明は「基本周波数が３０〜５００Ｈｚ」であるのに対して、刊行物Ａ発明は「一定周期Ｔ」である点。
［相違点Ｂ］
　本願第１発明は、「電力制御回路の出力と蛍光表示管のフィラメント間に直列に接続された、フィラメントに印加される電力を制限する電力制限回路」を備えるのに対して、刊行物Ａ発明にはそのような構成がない点。
　
第６　判断
　上記相違点Ａ，Ｂについて検討する。 
ア　相違点Ａについて
　　蛍光表示管のフィラメントを交流駆動する際に用いられる周波数は回路の応答特性等に応じて任意に設計できるものであって、「基本周波数が３０〜５００Ｈｚの範囲」内の周波数であるところの、「例えば１００Ｈｚ」並びに「６４Ｈｚ」を用いることが、上記刊行物Ｂ並びに刊行物Ｃに記載されている。そして、上記基本周波数に対する蛍光表示管内部の部材の振動によるうなり音の発生の可能性は、当該蛍光管内部の部材の材質や構造等で変化するものであることが明らかであるから、上記基本周波数についての「３０〜５００Hz」との数値範囲の限定に格段の臨界的意義があるともいえない。
　よって、刊行物Ａ発明の「パルス信号」を、「基本周波数が３０〜５００Ｈｚの範囲」とすることは刊行物Ｂ並びに刊行物Ｃに記載された発明に基づいて当業者が容易に想到できたことである。
　
イ　相違点Ｂについて
　刊行物Ａ発明の「抵抗１１」は、電力制御回路の出力と蛍光表示管のフィラメント間に直列に接続されたものであって、「バッテリ電圧Ｖｂをその抵抗値Ｒ１１とフィラメントＦの抵抗値Ｒｆで分圧した電圧Ｖｆを前記フィラメントＦに印加する」ことからすれば、フィラメントに印加される電力を制限する電力制限回路としての機能を有することは当業者にとって明らかであっるから、上記相違点Ｂは実質的な相違点とはいえない。
　
ウ　本願第１発明が奏する作用効果について 
　本願第１発明が奏する作用効果についても、刊行物Ａ発明及び刊行物Ｂないし刊行物Ｃに記載された発明に基づいて当業者が予測可能な範囲のものである。 
　
　したがって、本願第１発明は、刊行物Ａ発明及び刊行物Ｂないし刊行物Ｃに記載された発明に基づいて当業者が容易に発明をすることができたものであるから、特許法２９条２項の規定により特許を受けることができないものである。
　 
第７　むすび 
　以上のとおり、本願の請求項１に係る発明は、刊行物Ａ発明及び刊行物Ｂないし刊行物Ｃに記載された発明に基づいて当業者が容易に発明をすることができたものであるから、特許法２９条２項の規定により特許を受けることができない。 
　そして、請求項１に係る発明が特許を受けることができないものであるから、その余の請求項２ないし７に係る発明について検討するまでもなく、本願は拒絶すべきものである。 
　よって、結論のとおり審決する。